(57)【要約】【課題】部品点数を減らして小型化および低コスト化を図ることができる撮像装置を提供する。【解決手段】装置アクセサリを装置本体に対して回転させることで装置アクセサリが装着されるマウントを有する撮像装置において、マウントから突出して装置アクセサリのマウントからの抜けを阻止する突出位置と、マウントから退避して装置本体内に収納される退避位置との間で移動可能なロック部材（１８、１９）と、ロック部材を突出位置の方向に付勢する付勢部材（２０）と、ロック部材に当接し、使用者操作によりロック部材を付勢部材の付勢力に抗して退避位置へ移動させるロック解除部材（１７）とを有する。【選択図】  図４
2004272003.tif 000002
【特許請求の範囲】
【請求項１】
装置アクセサリを装置本体に対して回転させることで前記装置アクセサリが装着されるマウントを有する撮像装置において、
前記マウントから突出して前記装置アクセサリの前記マウントからの抜けを阻止する突出位置と、前記マウントから退避して装置本体内に収納される退避位置との間で移動可能なロック部材と、
このロック部材を前記突出位置の方向に付勢する付勢部材と、
前記ロック部材に当接し、使用者操作により前記ロック部材を前記付勢部材の付勢力に抗して前記退避位置へ移動させるロック解除部材とを有することを特徴とする撮像装置。
【請求項２】
第１の光源と、ユニット前面に配置され、前記第１の光源からの光を集光又は拡散させてユニット外に射出させる第１の光学部材とを有する照明ユニットと、
赤目緩和のための照明光を発する第２の光源と、
装置前面に配置され、前記第２の光源からの光を装置外に射出させる第２の光学部材とを備え、
前記第２の光源が、前記照明ユニットの近傍であって、前記照明ユニットとともに装置前面と略平行な面内に配置されており、
前記第１の光学部材および前記第２の光学部材が一体的に形成されていることを特徴とする撮像装置。
【請求項３】
装置本体の前面側を構成する第１の外装部材と、
装置本体の背面側を構成する第２の外装部材とを有する撮像装置であって、
前記第１の外装部材および前記第２の外装部材のうち一方の外装部材が、少なくとも装置本体の上面に位置する側辺に凸状の係合部を有するとともに、他方の外装部材が、この内面に前記係合部と係合する凹状の被係合部を有することを特徴とする撮像装置。
【発明の詳細な説明】
【０００１】
【発明の属する技術分野】
本発明は、撮像装置に関するものである。
【０００２】
【従来の技術】
従来、交換レンズと撮像装置本体との間に装着するアダプタ装置には様々なタイプがあり、特に交換レンズの焦点距離を変換したり、異なるフランジバック、マウント嵌合径を有する各種の撮像装置本体に交換レンズを装着したりするためのアダプタ装置が広く利用されている。
【０００３】
ここで、撮像装置とアダプタ装置を装着する構成は、スクリューマウント係合によるものからワンタッチで装着可能なバヨネット係合によるものになりつつある。
【０００４】
例えば、撮像装置の前面に形成され、撮影レンズ用の開口部周辺を覆う板バネの先端にバヨネットロック爪を形成し、このバヨネットロック爪をアダプタ装置に係合させることにより、アダプタ装置を撮像装置に装着させるタイプのものがある（第１の従来例、例えば、特許文献１参照）。
【０００５】
また、撮像装置のマウント面から突出するロック爪と、このロック爪をマウント面から退避させるためのロック解除ボタンとが設けられ、ロック爪をアダプタ装置に係合させることにより、アダプタ装置を撮像装置に装着させるタイプのものがある（第２の従来例、例えば、特許文献１参照）。
【０００６】
この第２の従来例の構成において、アダプタ装置を撮像装置のマウントに取り付ける場合には、まずアダプタ装置を所定角度回転させ、所定位置でロック爪をアダプタ装置に係合させることにより行う。また、アダプタ装置を撮像装置から取り外す場合には、まず、ロック解除ボタンを操作してロック爪をマウント面から退避させることでロック爪およびアダプタ装置の係合を解除し、アダプタ装置を所定角度回転（装着方向と逆方向に回転）させることにより撮像装置のマウントから取り外すことができる。
【０００７】
この構成において、ロック爪およびロック解除ボタンはそれぞれ、弾性部材（２つの部材）により撮像装置の前面から突出する方向に付勢されている。
【０００８】
一方、撮像素子から読み出された画像データを、表示部に出力して表示部に撮影画像として表示したり、記録媒体に記録したりすることが可能な撮像装置（デジタルスチルカメラ等）が広く普及している。この撮像装置には、被写体に照明光を照射する閃光発光装置が設けられており、この閃光発光装置は、発光光源であるキセノン管からの光を、閃光発光装置の前面に配置されたフレネルレンズによって拡散させて撮像装置の所望の照明範囲を照射する。
【０００９】
また、撮像装置には、閃光発光装置の他に虚像式又は実像式のファインダレンズが設けられており、閃光発光装置およびファインダレンズの近傍には、暗中でのストロボ撮影にて生じる赤目現象の発生頻度を低減させる赤目緩和用の投光素子、被写体距離を測定（測距）するための投受光素子、被写体輝度を測定（測光）するための受光素子が設けられている。
【００１０】
ここで、閃光発光管で発光した光を被写体方向へ反射させる反射笠に開口部が設けられ、この開口部の後方で、反射笠反射面外に赤目緩和用のプリ照明光源を配置している撮像装置がある（第３の従来例、例えば、特許文献２、３参照）。
【００１１】
また、装置前面に設けられた閃光発光装置の窓と、赤目緩和用のプリ照明光源の窓が、透明プラスチック材で略一体的に形成されている撮像装置がある（第４の従来例、例えば、特許文献４参照）。
【００１２】
一方、撮像装置においては、外観のデザインが多様化しており、単純な箱型のものに限らず曲面を有するデザインのものも普及している。しかし、デザインが多様化しても、撮像装置本体の外装を構成する前面カバーと背面カバーの締結には、複数のビスが用いられている（第５の従来例、例えば、特許文献５参照）。
【００１３】
【特許文献１】
特開２０００−３３０１７９号公報
【特許文献２】
特開平３−１９２２３４号公報
【特許文献３】
特開平１１−１７４５４１号公報
【特許文献４】
特開平０６−３３２０４２号公報
【特許文献５】
特開２００２−２７９９５０号公報
【００１４】
【発明が解決しようとする課題】
しかしながら、上述した第１の従来例における撮像装置では、撮影レンズ用の開口部周辺を覆う板バネの先端にバヨネットロック爪を形成しているため、バヨネットロック爪を形成した分だけ撮像装置が大型化してしまう。また、上述した第２の従来例では、ロック爪およびロック解除ボタンが互いに異なる弾性部材によって付勢されているため、機構の複雑化、組込み性の悪化、部品点数の増大に繋がると考えられる。
【００１５】
上述した第３の従来例では、反射笠の後方に、プリ照明光源と、この光源を取り付けるのに必要な部材とを設けているため、撮像装置の小型化に有利であるとは言えず、大型化（撮像装置の厚み方向の大型化）が懸念される。また、プリ照明光源の前方に閃光発光管が配置されているため、プリ照明光源からの光が閃光発光管で遮られ、被写体へ照射される照明光の光量が低下してしまう。更に、反射笠に開口部を設けているため、閃光発光管からの光が開口部から漏れて、閃光発光装置の光量が低減するおそれがある。
【００１６】
上述した第４の従来例では、閃光発光装置の窓とプリ照明光源の窓と一体としているため、部品点数の削減には繋がるが、この一体化された窓には集光又は拡散作用をもたせていないため、光源（閃光発光装置の光源およびプリ照明光源）からの光を効率良く被写体側に照射することはできず、光量のロスが生じてしまう。このため、光源の光を効率良く利用することで、閃光発光装置のコンデンサの容量を低減し、コンデンサを小型化（カメラを小型化）させることは困難である。
【００１７】
一方、第５の従来例の構成では、撮像装置の外装面にビスが配置されるため、このビスにより装置の外観が悪化したり、ビス止め用の穴部にゴミが溜まることで撮像装置の分解整備性が悪くなったりする。また、ビス止め用の穴部やビスの頭部により撮像装置の外装面が凹凸となるため、撮像装置を保持する感触が悪くなるといった問題もある。
【００１８】
上述した問題点に鑑み、本願第１の発明は、上述した第１および第２の従来例の課題を解決するためになされたものであり、アダプタ装置等を撮像装置に装着させる機構を、部品点数の少ない簡単な構成とすることで、小型化およびコストダウンを図ることができる撮像装置を提供することを目的とする。
【００１９】
また、本願第２の発明は、上述した第３および第４の従来例の課題を解決するためになされたものであり、光源からの光を効率良く利用しつつ、小型化およびコストダウンを図ることができる撮像装置を提供することを目的とする。
【００２０】
さらに、本願第３の発明は、上述した第５の従来例の課題を解決するためになされたものであり、ビスを撮像装置の外観表面に露出させることなく、簡単な構成で前面カバーおよび背面カバーを固定することができる撮像装置を提供することを目的とする。
【００２１】
【課題を解決するための手段】
本願第１の発明は、装置アクセサリを装置本体に対して回転させることで装置アクセサリが装着されるマウントを有する撮像装置において、マウントから突出して装置アクセサリのマウントからの抜けを阻止する突出位置と、マウントから退避して装置本体内に収納される退避位置との間で移動可能なロック部材と、このロック部材を突出位置の方向に付勢する付勢部材と、ロック部材に当接し、使用者操作によりロック部材を付勢部材の付勢力に抗して退避位置へ移動させるロック解除部材とを有することを特徴とする。
【００２２】
本願第２の発明である撮像装置は、第１の光源と、ユニット前面に配置され、第１の光源からの光を集光又は拡散させてユニット外に射出させる第１の光学部材とを有する照明ユニットと、赤目緩和のための照明光を発する第２の光源と、装置前面に配置され、第２の光源からの光を装置外に射出させる第２の光学部材とを備え、第２の光源が、照明ユニットの近傍であって、照明ユニットとともに装置前面と略平行な面内に配置されており、第１の光学部材および第２の光学部材が一体的に形成されていることを特徴とする。
【００２３】
本願第３の発明は、装置本体の前面側を構成する第１の外装部材と、装置本体の背面側を構成する第２の外装部材とを有する撮像装置であって、第１の外装部材および第２の外装部材のうち一方の外装部材が、少なくとも装置本体の上面に位置する側辺に凸状の係合部を有するとともに、他方の外装部材が、この内面に係合部と係合する凹状の被係合部を有することを特徴とする。
【００２４】
【発明の実施の形態】
（第１実施形態）
本発明の第１実施形態であるカメラ（撮像装置）について図１から図３を用いて説明する。
【００２５】
図１はカメラの外観斜視図であり、図２はカメラアクセサリの着脱機構の分解斜視図であり、図３は上記着脱機構の断面図である。
【００２６】
図１において、１はカメラ本体であり、この内部には撮影を可能とするための各種の部材が配置されている。カメラ本体１の前面には、不図示の交換レンズやアダプタ装置等のカメラアクセサリを装着可能とするマウント（３ａ）が形成されている。
【００２７】
２はマウントを覆うキャップ部材であり、この内周面にはマウントと係合する複数の爪部２ａを有している。
【００２８】
３はカメラ本体１の前面側を構成する前面カバーであり、４はカメラ本体１の背面側を構成する背面カバーである。
【００２９】
前面カバー３は、不図示のカメラアクセサリを装着するためのマウント３ａを有している。マウント３ａは、キャップ部材２の爪部２ａが進入可能なガイド溝部３ｂを有し、このガイド溝部３ｂは、爪部２ａと同じ位相となるように配置されている。また、ガイド溝部３ｂの一端には、マウント２の周方向に延びる係合溝部３ｃが形成されている。
【００３０】
上記構成において、爪部２ａをガイド溝部３ｂにはめ込み、キャップ部材２を光軸周り（図１中時計方向）に回動させて、爪部２ａおよび係合溝部３ｃを係合させることにより、キャップ部材２をカメラ本体１のマウント２に装着することができる。不図示のカメラアクセサリも、キャップ部材２と同様にしてマウント２に装着することができる。
【００３１】
前面カバー３のうちマウント２の内側には、被写体光束が通過する開口部５が形成されている。開口部５を通過した被写体光束は、カメラ本体１内に配置された不図示の撮像媒体（フィルムやＣＣＤ等の撮像素子）で結像する。
【００３２】
開口部５の上方には、被写体像を観察するための光学ファインダユニットのファインダ窓部６が配置されている。また、ファインダ窓部６に対してカメラ正面向かって右側には、被写体に照明光を照射するための閃光発光装置のフレネルレンズ７が配置されている。このフレネルレンズ７の真下には、赤目緩和用の照明光を照射するためのプリ照明光源のレンズ８が設けられている。
【００３３】
撮像媒体として撮像素子を用いた場合、カメラ本体１の背面に、液晶表示装置（不図示）を配置することができ、この液晶表示装置に、撮像素子によって撮像された被写体像を表示させたり、撮像された画像を再生表示させたりすることができる。
【００３４】
９は電源ボタンであり、このボタン９を操作することでカメラ本体１を起動させることができる。
【００３５】
１０はモード設定ダイヤルであり、カメラ本体１に対して回動可能に支持されている。モード設定ダイヤル１０の上面には、各種の撮影モードに応じた複数のマークが表示されており、このマークをカメラ本体１の外面に形成された指標に合わせることで、マークに応じた撮影モードの設定を行うことができる。
【００３６】
１１はシャッタボタンであり、２段階の押圧操作が可能となっている。シャッタボタン１１を半押し操作すると、撮影準備動作（測光動作や測距動作等）が開始され、シャッタボタン１１を全押し操作すると、撮影動作（フィルムやＣＣＤ等の撮像素子への露光）が開始される。
【００３７】
撮像素子によって撮影された画像データは、液晶表示装置に撮影画像として表示されたり、ＣＦカードなどの記録媒体に記録されたりする。
【００３８】
１２は撮影光学系の焦点距離を変更するために操作されるズーム切換レバーであり、シャッタボタン１１を取り囲むように配置され、シャッタボタン１１に対して回動可能となっている。
【００３９】
ズーム切換レバー１２を一方向に回動させると、撮影光学系の焦点距離をワイド方向に切り換えることができ、他方向に回動させると、撮影光学系の焦点距離をテレ方向に切り換えることができる。
【００４０】
１３は、前面カバー３と背面カバー４を固定するキャップ部材であり、１４は、撮影者によって保持されるグリップ部材である。
【００４１】
１５は記録媒体を収納する記録媒体収納室の開口部を覆う蓋部材であり、カメラ本体１に回動可能に取り付けられている。蓋部材１５を図１に示す状態から回動させると、記録媒体収納室を開き状態とすることができ、この状態において記録媒体収納室内に記録媒体を出し入れすることができる。
【００４２】
１６は電池を収納する電池収納室の開口部を覆う蓋部材であり、カメラ本体１に回動可能に取り付けられている。蓋部材１６を図１に示す状態から回動させると、電池収納室を開き状態とすることができ、この状態において電池収納室内に電池を出し入れすることができる。
【００４３】
１７は着脱機構のロック解除ボタンであり、１８はロック爪である。
【００４４】
図２および図３において、ロック爪１８は、Ｌ字状の板材で構成されており、このロック爪１８には軸部材１９の一端が係合し、カシメによって一体的に形成されている。なお、ロック爪１８および軸部材１９を固定する方法は、圧着やビス締め、又は一体成型としてもよい。
【００４５】
２０は弾性部材であり、軸部材１９の軸周りに配置されている。弾性部材２０は、この一端がロック爪１８に当接し、他端がカメラ本体１の一部である保持部材２２に当接することで、ロック爪１８を図３中の矢印Ａ方向に付勢する。
【００４６】
ロック爪１８は、弾性部材２０からの付勢力を受けることで、図１に示すように前面カバー３に形成された穴部３ｄを貫通して、マウント２（カメラ本体１の前面）から突出する。
【００４７】
一方、ロック爪１８には、ロック解除ボタン１７の端部が当接しており、ロック解除ボタン１７は、ロック爪１８を介して弾性部材２０からの付勢力を受けることにより、図３に示すようにカメラ本体１（前面カバー３）の前面から突出する。
【００４８】
２２は電池収納室の一部を構成する保持部材であり、軸部材１９と嵌合する嵌合穴部２２ａが形成されている。また、保持部材２２には、ロック爪１８と当接する溝部２２ｂを有している。
【００４９】
２１は、嵌合穴部２２ａから突出する軸部材１９の一端に取り付けられる固定止輪であり、この固定止輪２１が保持部材２２の端面に当接することで軸部材１９が嵌合穴部２２ａから抜けるのを阻止している。
【００５０】
上述した着脱機構の構成において、使用者の操作によりロック解除ボタン１７が図３中の矢印Ｂ方向に押し込まれると、ロック爪１８が弾性部材２０の付勢力に抗して矢印Ｂ方向に移動してカメラ本体１内に収納される。
【００５１】
このとき、軸部材１９が嵌合穴部２２ａを摺動するとともに、ロック爪１８が保持部材２２の溝部２２ｂを摺動するため、ロック爪１８を位置精度を保ちつつ移動させることができる。ここで、嵌合穴部２２ａの長さを長くすれば、嵌合穴部２２ａおよび軸部材１９の摺動作用だけによって、ロック爪１８を位置精度良く移動させることができる。
【００５２】
本実施形態のカメラによれば、１つの弾性部材２０によってロック爪１８およびロック解除ボタン１７を付勢しているため、従来のようにロック爪およびロック解除ボタンのそれぞれを異なる弾性部材で付勢する場合に比べて、部品点数を減らすことができる。これにより、カメラのコストダウンを図ることができるとともに、着脱機構の配置スペースを従来に比べて小さくすることができるため、カメラの小型化を図ることができる。
【００５３】
また、本実施形態のカメラでは、ロック爪１８および軸部材１９をカメラ本体１組み込んでから、ロック解除ボタン１７をロック爪１８に当接させるだけであるため、着脱機構を簡単な構成とすることができ、カメラ本体１内に容易に組み込むことができる。
【００５４】
（第２実施形態）
本発明の第２実施形態であるカメラについて図４から図７を用いて説明する。
【００５５】
図４は本実施形態におけるカメラの外観斜視図であり、図５は、カメラに設けられた閃光発光装置の外観斜視図である。図６は、閃光発光装置の断面図であり、図７は、閃光発光装置の分解斜視図である。
【００５６】
図４において、１０１はカメラ本体であり、この内部には撮影を可能とするための各種の部材が配置されている。カメラ本体１０１の前面には、不図示の交換レンズやアダプタ装置等のカメラアクセサリを装着するためのマウントが設けられており、図４ではマウントにキャップ部材１０２が装着されている。ここで、ロック解除ボタン２１７を操作すると、キャップ部材１０２をマウントから取り外すことができ、キャップ部材１０２の代わりにアダプタ装置等をマウントに装着することができる。
【００５７】
ここで、アダプタ装置は、交換レンズとカメラ本体１０１との間に配置され、交換レンズおよびカメラ本体１０１を連結するための装置であり、交換レンズの焦点距離等を変更したり、異なるフランジバックやマウント嵌合径を有する各種のカメラ本体１０１に交換レンズを取り付け可能としたりする。
【００５８】
１０３はカメラ本体１０１の前面側を構成する前面カバーであり、１０４はカメラ本体１０１の背面側を構成する背面カバーである。
【００５９】
カメラ本体１０１の前面（前面カバー１０３）には、被写体光束が通過する開口部１０５が形成されている。開口部１０５を通過した被写体光束は、カメラ本体１内に配置された不図示の撮像媒体（フィルムやＣＣＤ等の撮像素子）で結像する。
【００６０】
開口部１０５の上方には、被写体像を観察するための光学ファインダユニットのファインダ窓部１０６が配置されている。また、ファインダ窓部１０６に対してカメラ正面向かって右側には、被写体に照明光を照射するための閃光発光装置のフレネルレンズ１０７が配置されている。このフレネルレンズ１０７の真下には、赤目緩和用の照明光を照射するためのプリ照明光源のレンズ１０８が設けられている。
【００６１】
なお、閃光発光装置のフレネルレンズ１０７の真下に設けるレンズ１０８は、測距用のプリ照明光源のレンズあるいは、被写体輝度を測光するための受光素子の窓部としてもよい。また、レンズ１０８に集光又は拡散作用をもたせることもできる。
【００６２】
撮像媒体として撮像素子を用いた場合、カメラ本体１０１の背面に、液晶表示装置（不図示）を配置することができ、この液晶表示装置に、撮像素子によって撮像された被写体像を表示させたり、撮像された画像を再生表示させたりする。
【００６３】
１０９は電源ボタンであり、このボタン１０９を操作することでカメラ本体１０１を起動させることができる。
【００６４】
１１０はモード設定ダイヤルであり、カメラ本体１０１に対して回動可能に支持されている。モード設定ダイヤル１１０の上面には、各種の撮影モードに応じた複数のマークが表示されており、このマークをカメラ本体１０１の外面に形成された指標に合わせることで、マークに応じた撮影モードの設定を行うことができる。
【００６５】
１１１はシャッタボタンであり、２段階の押圧操作が可能となっている。シャッタボタン１１１を半押し操作すると、撮影準備動作（測光動作や測距動作等）が開始され、シャッタボタン１１１を全押し操作すると、撮影動作（フィルムやＣＣＤ等の撮像素子への露光）が開始される。
【００６６】
撮像素子によって撮影された画像データは、液晶表示装置に撮影画像として表示されたり、ＣＦカードなどの記録媒体に記録されたりする。
【００６７】
１１２は撮影光学系の焦点距離を変更するために操作されるズーム切換レバーであり、シャッタボタン１１１を取り囲むように配置され、シャッタボタン１１１に対して回動可能となっている。
【００６８】
ズーム切換レバー１１２を一方向に回動させると、撮影光学系の焦点距離をワイド方向に切り換えることができ、他方向に回動させると、撮影光学系の焦点距離をテレ方向に切り換えることができる。
【００６９】
１１４は撮影者によって保持されるグリップ部材であり、このグリップ部材１１４の上面がキャップ部材１１３で覆われている。
【００７０】
１１５は記録媒体を収納する記録媒体収納室の開口部を覆う蓋部材であり、カメラ本体１０１に回動可能に取り付けられている。蓋部材１１５を図４に示す状態から回動させると、記録媒体収納室を開き状態とすることができ、この状態において記録媒体収納室内に記録媒体を出し入れすることができる。
【００７１】
１１６は電池を収納する電池収納室の開口部を覆う蓋部材であり、カメラ本体１０１に回動可能に取り付けられている。蓋部材１１６を図４に示す状態から回動させると、電池収納室を開き状態とすることができ、この状態において電池収納室内に電池を出し入れすることができる。
【００７２】
図５から図７において、フレネルレンズ１０７は、照明光を所望の配光角度で被写体に照射するようにコントロールする光学部材であり、ガラス又はプラスチックで構成されている。このフレネルレンズ１０７は、閃光発光装置の前面に配置されている。
【００７３】
レンズ１０８は、後述するプリ照明光源１２３から発せられた赤目緩和用の光をカメラ本体１０１外へ射出させる。このレンズ１０８は、フレネルレンズ１０７と一体的に形成されている。なお、レンズ１０８を、測距用のプリ照明光源のレンズ又は、被写体輝度測光用の受光素子の窓部としてもよい。
【００７４】
１１８は閃光発光装置の上面を覆う蓋部材であり、固定部材１１９に固定される。１１９は閃光発光装置の内部構成部材を保持するための固定部材であり、カメラ本体１０１に固定される。
【００７５】
１２０は閃光発光装置の電子回路基板であり、カメラ本体１０１内に設けられた不図示の制御回路に接続している。１２１は閃光発光装置の光源となるキセノン管であり、トリガ信号の入力を受けて発光する。このキセノン管１２１の両端は、リード線を介して後述するチャージコンデンサ１２５に接続されている。
【００７６】
１２２は反射笠であり、キセノン管１２１で発光した光を閃光発光装置の前面側（フレネルレンズ１０７側）に反射させる。この反射笠１２２は、リード線を介して不図示のトリガ回路に連結しており、トリガ回路からのトリガ信号を受けることでキセノン管１２１を発光させる。
【００７７】
１２３は赤目緩和用の照明光を発するプリ照明光源であり、固定部材１１９に一体的に形成された保持部１１９ａで保持される。このプリ照明光源１２３は、閃光発光装置に対してカメラ下方に配置されているが、閃光発光装置に対してカメラ上方向、左右方向に配置してもよい。すなわち、プリ照明光源１２３および閃光発光装置をカメラ前面と略平行な面内に位置するように配置すればよい。
【００７８】
このように閃光発光装置およびプリ照明光源１２３を配置することにより、閃光発光装置の後方にプリ照明光源１２３を配置する場合に比べて、カメラを厚み方向で小型化することができる。
【００７９】
そして、プリ照明光源１２３を閃光発光装置に近づけて配置することで、カメラを上下方向又は左右方向で小型化することができる。
【００８０】
また、プリ照明光源１２３を保持するための保持部１１９ａが保持部材１１９に一体的に形成されているため、部品点数を減らすことができ、コストを軽減することができる。
【００８１】
本実施形態では、閃光発光装置の近傍に赤目緩和用の照明光を発するプリ照明光源１２３を配置しているが、このプリ照明光源１２３の代わりに、被写体距離を測定（測距）するために被写体に向けて照射される赤外光を発するプリ照明光源や、被写体で反射した上記赤外光を受光する受光素子や、被写体輝度を測定するために被写体光を受光する受光素子を配置することができる。また、上述した光源や受光素子のすべてを、閃光発光装置の近傍に配置することもできる。
【００８２】
この場合、上述した光源や受光素子に対応して設けられるレンズや窓部を、フレネルレンズ１０７と一体的に形成する。
【００８３】
１２４は、キセノン管１２１の両端に取り付けられる弾性部材であり、キセノン管１２１を反射笠１２２に押し付けた状態で保持している。１２５は、キセノン管１２１を発光させるためのチャージコンデンサであり、電子回路基板１２０に抱えられるように位置している。
【００８４】
本実施形態のカメラによれば、プリ照明光源１２３を閃光発光装置の近傍に配置するとともに、フレネルレンズ１０７およびレンズ１０８を一体的に形成している。プリ照明光源１２３を閃光発光装置の近傍に配置することで、カメラの小型化を図ることができるとともに、フレネルレンズ１０７およびレンズ１０８を一体的に形成しているため、部品点数を減らすことができ、コストダウンを図ることができる。
【００８５】
しかも、フレネルレンズ１０７を用いることで、キセノン管１２１からの光を被写体に効率良く照射させることができる。
【００８６】
なお、本実施形態では、照明光の照射角度を固定したタイプの閃光発光装置について説明したが、照明光の照射角度を可変とするタイプについても本発明を適用することができる。
【００８７】
（第３実施形態）
本発明の第３実施形態であるカメラについて図８から図１２を用いながら説明する。
【００８８】
図８はカメラの外観斜視図であり、図９はカメラの分解斜視図である。図１０は、カメラにおけるカバー部材の部分断面図である。図１１および図１２は、カメラの底面図である。
【００８９】
図８において、２０１はカメラ本体であり、この内部には撮影を可能とするための各種の部材が配置されている。カメラ本体２０１の前面には、不図示の交換レンズやアダプタ装置等を装着可能とするマウントが形成されており、図８では、マウントにキャップ部材２０２が装着されている。
【００９０】
カメラ本体２０１に設けられたロック解除ボタン２１７を操作することにより、キャップ部材２０２をマウントから取り外すことができ、キャップ部材２０２の代わりにアダプタ装置等をマウントに装着することができる。
【００９１】
ここで、アダプタ装置は、交換レンズとカメラ本体２０１との間に配置され、交換レンズおよびカメラ本体２０１を連結するための装置であり、交換レンズの焦点距離等を変更したり、異なるフランジバックやマウント嵌合径を有する各種のカメラ本体２０１に交換レンズを取り付け可能としたりする。
【００９２】
２０３はカメラ本体２０１の前面側を構成する前面カバーであり、２０４はカメラ本体２０１の背面側を構成する背面カバーである。
【００９３】
カメラ本体２０１の前面（前面カバー２０３）には、被写体光束が通過する開口部２０５が形成されている。開口部２０５を通過した被写体光束は、カメラ本体２０１内に配置された不図示のＣＣＤ等の撮像素子で結像する。
【００９４】
開口部２０５の上方には、被写体像を観察するための光学ファインダユニットのファインダ窓部２０６が配置されている。また、ファインダ窓部２０６に対してカメラ正面向かって右側には、被写体に照明光を照射するための閃光発光装置のフレネルレンズ２０７が配置されている。このフレネルレンズ２０７の真下には、赤目緩和用の照明光を照射するためのプリ照明光源のレンズ２０８が設けられている。
【００９５】
なお、閃光発光装置のフレネルレンズ２０７の真下に設けるレンズ２０８は、測距用のプリ照明光源のレンズあるいは、被写体輝度を測光するための受光素子の窓部としてもよい。
【００９６】
図９に示すように、カメラ本体２０１の背面（背面カバー２０４）のうち凹部２０４ａには、液晶表示装置（不図示）が配置されるようになっており、この液晶表示装置には、撮像素子で撮像された被写体像が表示されたり、撮像された画像が再生表示されたりする。
【００９７】
また、背面カバー２０４の表面のうち凹部２０４ｂには、撮影条件の設定を変更するために操作される十字ボタン（不図示）が配置される。撮影者は、液晶表示装置に表示される撮影条件を見ながら十字ボタンを操作することで、撮影条件を変更することができる。
【００９８】
図８において、２０９は電源ボタンであり、このボタン２０９を操作することでカメラ本体２０１を起動させることができる。
【００９９】
２１０はモード設定ダイヤルであり、カメラ本体２０１に対して回動可能に支持されている。モード設定ダイヤル２１０の上面には、各種の撮影モードに応じた複数のマークが表示されており、このマークをカメラ本体２０１の外面に形成された指標に合わせることで、マークに応じた撮影モードの設定を行うことができる。
【０１００】
２１１はシャッタボタンであり、２段階の押圧操作が可能となっている。シャッタボタン２１１を半押し操作すると、撮影準備動作（測光動作や測距動作等）が開始され、シャッタボタン２１１を全押し操作すると、撮影動作（ＣＣＤ等の撮像素子への露光）が開始される。
【０１０１】
撮像素子によって撮影された画像データは、液晶表示装置に撮影画像として表示されたり、ＣＦカードなどの記録媒体に記録されたりする。
【０１０２】
２１２は撮影光学系の焦点距離を変更するために操作されるズーム切換レバーであり、シャッタボタン２１１を取り囲むように配置され、シャッタボタン２１１に対して回動可能となっている。
【０１０３】
ズーム切換レバー２１２を一方向に回動させると、撮影光学系の焦点距離をワイド方向に切り換えることができ、他方向に回動させると、撮影光学系の焦点距離をテレ方向に切り換えることができる。
【０１０４】
２１３は、前面カバー２０３と背面カバー２０４を固定するキャップ部材であり、２１４は、撮影者によって保持されるグリップ部材である。
【０１０５】
２１５は記録媒体を収納する記録媒体収納室の開口部を覆う蓋部材であり、カメラ本体２０１に回動可能に取り付けられている。蓋部材２１５を図８に示す状態から回動させると、図１２に示すように記録媒体収納室を開き状態とすることができ、この状態において記録媒体収納室内に記録媒体を出し入れすることができる。
【０１０６】
２１６は電池を収納する電池収納室の開口部を覆う蓋部材であり、カメラ本体２０１に回動可能に取り付けられている。蓋部材２１６を図８に示す状態から回動させると、図１１に示すように電池収納室を開き状態とすることができ、この状態において電池収納室内に電池を出し入れすることができる。
【０１０７】
図９および図１０において、前面カバー２０３のうちカメラの上面に位置する側辺には、係止爪２０３ａ、２０３ｂが形成されている。係止爪２０３ａは、図１０に示すように、背面カバー２０４の内面に形成された凹部２０４ｃに係合する。また、係止爪２０３ｂも係止爪２０３ａと同様に背面カバー２０４の内面に形成された凹部２０４ｄに係合する。
【０１０８】
係止爪２０３ａ、２０３ｂおよび凹部２０４ｃ、２０４ｄの係合によって、前面カバー２０３および背面カバー２０４を連結することができ、カメラの上面は連続した面となる。
【０１０９】
２１９は、キャップ部材２１３をカメラ本体２０１に締結するためのビスであり、２１８はカメラ本体２０１に対して移動可能に取り付けられた端子カバーである。
【０１１０】
３つのビス２１９のうち２つのビス２１９は、図１１に示すように電池収納室内から取り付けられるようになっており、ビス２１９がカメラの外面に露出しないようになっている。このようにビス２１９の取り付け部分を電池収納室内に設けることにより、ビス２１９によるキャップ部材２１３の取り付け作業を容易に行うことができる。
【０１１１】
一方、３つのビス２１９のうち１つのビス２１９は、図１２に示すように記録媒体収納室内から取り付けられるようになっており、ビス２１９がカメラの外面に露出しないようになっている。このようにビス２１９の取り付け部分を記録媒体収納室内に設けることにより、ビス２１９によるキャップ部材２１３の取り付け作業を容易に行うことができる。
【０１１２】
２２０は、不図示の端子部をカメラ本体２０１（前面カバー２０３および背面カバー２０４）に固定するためのビスである。この端子部は、外部機器（例えば、プリンタや画像表示装置）とケーブルを介して接続するための部材である。
【０１１３】
端子カバー２１８が端子部を覆っている状態においては、ビス２２０がカメラの外部に露出することはなく、端子カバー２１８、前面カバー２０３および背面カバー２０４によりカメラの側面が連続した面となる。
【０１１４】
図１１において、２２１はカメラ本体２０１の底面に配置されたビスであり、２２２は、不図示の三脚が固定される三脚穴部である。
【０１１５】
本実施形態のカメラによれば、前面カバー２０３の係止爪２０３ａ、２０３ｂを、背面カバー２０４の凹部２０４ｃ、２０４ｄに係合させるだけで、前面カバー２０３および背面カバー２０４を連結することができるため、従来技術のようにビスを用いる必要はなく、ビスがカメラの表面に露出することはない。
【０１１６】
これにより、ビスによってカメラの外観が損なわれることがないとともに、前面カバー２０３および背面カバー２０４によりカメラの上面が連続した面となるため、カメラを保持したときの感触が悪くなることもない。
【０１１７】
しかも、ビスの取り付け部分に埃が溜まることがないため、カメラの分解性が悪化することもない。
【０１１８】
以上説明した各実施形態は、以下に示す各発明を実施した場合の一例でもあり、下記の各発明は上記各実施形態に様々な変更や改良が加えられて実施されるものである。
【０１１９】
〔発明１〕  装置アクセサリを装置本体に対して回転させることで前記装置アクセサリが装着されるマウントを有する撮像装置において、
前記マウントから突出して前記装置アクセサリの前記マウントからの抜けを阻止する突出位置と、前記マウントから退避して装置本体内に収納される退避位置との間で移動可能なロック部材と、
このロック部材を前記突出位置の方向に付勢する付勢部材と、
前記ロック部材に当接し、使用者操作により前記ロック部材を前記付勢部材の付勢力に抗して前記退避位置へ移動させるロック解除部材とを有することを特徴とする撮像装置。
【０１２０】
上記発明１によれば、ロック部材およびロック解除部材を１つの付勢部材で付勢することができるようにしており、従来技術のようにロック部材およびロック解除部材のそれぞれを付勢する構成に比べて部品点数を減らすことができる。
【０１２１】
〔発明２〕  前記ロック部材が、前記マウントから突出するロック爪部と、このロック爪部に一体形成され、装置本体に形成された長穴部に摺動可能に係合する軸部とを有することを特徴とする前記発明１に記載の撮像装置。
【０１２２】
〔発明３〕  前記付勢部材が、前記軸部の周りに配置されており、一端が前記ロック爪部に当接するとともに、他端が装置本体に当接することを特徴とする前記発明２に記載の撮像装置。
【０１２３】
〔発明４〕  前記ロック爪部を貫通させる穴部を有しており、
前記ロック爪部は、前記突出位置にあるときに、前記装置アクセサリからの外力を受けることで前記穴部の端面に当接可能であることを特徴とする前記発明２又は３に記載の撮像装置。
【０１２４】
〔発明５〕  第１の光源と、ユニット前面に配置され、前記第１の光源からの光を集光又は拡散させてユニット外に射出させる第１の光学部材とを有する照明ユニットと、
赤目緩和のための照明光を発する第２の光源と、
装置前面に配置され、前記第２の光源からの光を装置外に射出させる第２の光学部材とを備え、
前記第２の光源が、前記照明ユニットの近傍であって、前記照明ユニットとともに装置前面と略平行な面内に配置されており、
前記第１の光学部材および前記第２の光学部材が一体的に形成されていることを特徴とする撮像装置。
【０１２５】
上記発明５によれば、照明ユニットおよび第２の光源を装置前面と略平行な面内に位置するように配置するとともに、第２の光源を照明ユニットの近傍に配置することで、撮像装置を装置上下方向又は装置横方向で小型化することができる。しかも、第１の光学部材および第２の光学部材を一体的に形成しているため、部品点数を減らすことができ、コストダウンおよび装置の組み立て性を向上させることができる。
【０１２６】
〔発明６〕  第１の光源と、ユニット前面に配置され、前記第１の光源からの光を集光又は拡散させてユニット外に射出させる第１の光学部材とを有する照明ユニットと、
被写体距離を測定するための赤外光を発する第２の光源と、
装置前面に配置され、前記第２の光源からの光を装置外に射出させる第２の光学部材とを備え、
前記第２の光源が、前記照明ユニットの近傍であって、前記照明ユニットとともに装置前面と略平行な面内に配置されており、
前記第１の光学部材および前記第２の光学部材が一体的に形成されていることを特徴とする撮像装置。
【０１２７】
〔発明７〕  前記第２の光学部材が、前記第２の光源からの光を集光又は拡散させて装置外に射出させることを特徴とする前記発明５又は６に記載の撮像装置。
【０１２８】
〔発明８〕  第１の光源と、ユニット前面に配置され、前記第１の光源からの光を集光又は拡散させてユニット外に射出させる第１の光学部材とを有する照明ユニットと、
装置前面に配置された第２の光学部材と、
この第２の光学部材を介して装置外から入射した光を受光する受光素子とを備え、
前記受光素子が、前記照明ユニットの近傍であって、前記照明ユニットとともに装置前面と略平行な面内に配置されており、
前記第１の光学部材および前記第２の光学部材が一体的に形成されていることを特徴とする撮像装置。
【０１２９】
〔発明９〕  前記受光素子が、被写体距離を測定するための赤外光を受光する受光素子又は、被写体輝度を測定するために被写体光を受光する受光素子であることを特徴とする前記発明８に記載の撮像装置。
【０１３０】
〔発明１０〕  前記第１の光学部材および前記第２の光学部材が、内面反射型の部材であることを特徴とする前記発明５から８のいずれかに記載の撮像装置。
【０１３１】
〔発明１１〕  装置本体の前面側を構成する第１の外装部材と、
装置本体の背面側を構成する第２の外装部材とを有する撮像装置であって、
前記第１の外装部材および前記第２の外装部材のうち一方の外装部材が、少なくとも装置本体の上面に位置する側辺に凸状の係合部を有するとともに、他方の外装部材が、この内面に前記係合部と係合する凹状の被係合部を有することを特徴とする撮像装置。
【０１３２】
上記発明１１によれば、係合部および被係合部を係合させて第１の外装部材および第２の外装部材を連結しているため、従来技術のようにビスを用いて外装部材を連結する必要がなく、ビスが撮像装置の外面に露出することがない。これにより、ビスによって撮像装置の外観が損なわれたり、装置を保持したときの感触が悪くなるのを防止することができる。
【０１３３】
〔発明１２〕  前記第１の外装部材および前記第２の外装部材とともに装置本体の上面を構成する第３の外装部材と、
この第３の外装部材を前記第１の外装部材および前記第２の外装部材に固定するための締結部材とを有し、
前記締結部材が、装置本体の内側から前記第３の外装部材を固定することを特徴とする前記発明１１に記載の撮像装置。
【０１３４】
〔発明１３〕  装置アクセサリを収納する収納室を有し、
前記締結部材が、前記収納室内から前記第３の外装部材を固定することを特徴とする前記発明１２に記載の撮像装置。
【０１３５】
〔発明１４〕  前記装置アクセサリが、電池および記録媒体であることを特徴とする前記発明１３に記載の撮像装置。
【０１３６】
〔発明１５〕  装置本体の側面に設けられ、外部機器との通信を行うための端子部と、
この端子部を装置本体に固定するための締結部材と、
前記端子部および前記締結部材を覆うカバー部材とを有することを特徴とする前記発明１１から１４のいずれかに記載の撮像装置。
【０１３７】
【発明の効果】
本願第１の発明である撮像装置によれば、部品点数を少なくできるため、装置の小型化および低コスト化を図ることができる。
【０１３８】
本願第２の発明である撮像装置によれば、第１の光源および第２の光源からの光を効率良く利用することができるとともに、部品点数を減らして装置の小型化および低コスト化を図ることができる。
【０１３９】
本願第３の発明である撮像装置によれば、従来のようにビスを用いて第１の外装部材および第２の外装部材を固定しないため、ビスによる撮像装置の外観形状を損なう恐れがないとともに、ビスの固定部分に埃などが溜まることもない。
【図面の簡単な説明】
【図１】第１実施形態であるカメラの外観斜視図。
【図２】第１実施形態のカメラにおける着脱機構の部品分解図。
【図３】第１実施形態のカメラにおける着脱機構の部分断面図。
【図４】第２実施形態であるカメラの外観斜視図。
【図５】第２実施形態における閃光発光装置の斜視図。
【図６】第２実施形態における閃光発光装置の断面図。
【図７】第２実施形態における閃光発光装置の分解斜視図。
【図８】第３実施形態であるカメラの外観斜視図。
【図９】第３実施形態であるカメラの分解斜視図。
【図１０】第３実施形態における前面カバーおよび背面カバーの部分断面図。
【図１１】第３実施形態であるカメラの底面図。
【図１２】第３実施形態であるカメラの底面図。
【符号の説明】
１、１０１、２０１：カメラ本体
２：キャップ部材
３、１０３、２０３：前面カバー
２０３ａ、２０３ｂ：係止爪
２０４ｃ：凹部
４、１０４、２０４  ：背面カバー
５、１０５、２０５：開口部
６、１０６、２０６：ファインダ窓部
７、１０７、２０７：フレネルレンズ
８、１０８、２０８：レンズ
９、１０９、２０９：電源ボタン
１０、１１０、２１０：モード設定ダイヤル
１１、１１１、２１１：シャッタボタン
１２、１１２、２１２：ズーム切換レバー
１３、１１３、２１３：キャップ部材
１４、１１４、２１４：グリップ部材
１５、１１５、２１５：蓋部材
１６、１１６、２１６：蓋部材
１７：ロック解除ボタン
１８：ロック爪
１９：軸部材
２０：弾性部材
２２：保持部材
１１９：固定部材
１２０：電子回路基板
１２１：キセノン管
１２２：反射傘
１２３：プリ照明光源
１２５：チャージコンデンサ
２１８：端子カバー
２１９〜２２１：ビス
【図１】
2004272003.tif 000003
【図２】
2004272003.tif 000004
【図３】
2004272003.tif 000005
【図４】
2004272003.tif 000006
【図５】
2004272003.tif 000007
【図６】
2004272003.tif 000008
【図７】
2004272003.tif 000009
【図８】
2004272003.tif 000010
【図９】
2004272003.tif 000011
【図１０】
2004272003.tif 000012
【図１１】
2004272003.tif 000013
【図１２】
2004272003.tif 000014